(57)【要約】【課題】コネクタ挿入用の開口部を形成した場合であっても、ケース内部にコネクタを保持するための係止部を設けずに簡単な構造の電気接続用ケースを提供すること。【解決手段】底壁の縁面に沿って周側壁が立設され、底壁１０に対向する面の開口１ａからコネクタ付き電線３０の接続相手４０が収容される箱型形状をなし、ケース外部からケース内部に引き込まれたコネクタ付き電線３０のコネクタ３１と接続相手４０とが接続される電気接続用ケース１であって、コネクタ３１が所定の姿勢でケース外部からケース内部に挿入可能、かつケース内部に挿入されて所定の姿勢から姿勢が変化されたコネクタ３１がケース外部に脱落しないような形状および大きさに調整されて周側壁、あるいは底壁に形成されたコネクタ挿入用開口部２０を有する。【選択図】図１
2015008571.tif 000002
【特許請求の範囲】
【請求項１】
底壁の縁面に沿って周側壁が立設され、前記底壁に対向する面の開口からコネクタ付き電線の接続相手が収容される箱型形状をなし、ケース外部からケース内部に引き込まれた前記コネクタ付き電線のコネクタと前記接続相手とが接続される電気接続用ケースであって、
前記コネクタが所定の姿勢でケース外部からケース内部に挿入可能、かつケース内部に挿入されて所定の姿勢から姿勢が変化された前記コネクタがケース外部に脱落しないような形状および大きさに調整されて前記周側壁、あるいは前記底壁に形成されたコネクタ挿入用開口部を有する
ことを特徴とする電気接続用ケース。
【請求項２】
前記コネクタ挿入用開口部は、
形状および大きさが前記コネクタからの電線の引き出し方向での前記コネクタの断面外形に対応して前記コネクタがケース外部に脱落しないような形状および大きさに形成されることを特徴とする請求項１に記載の電気接続用ケース。
【請求項３】
前記コネクタが略直方体形状をなし、前記電線の引き出し方向に直交する方向での断面外形が長辺および短辺を有するとともに、電線の引き出し方向の長さが前記長辺の幅より短く調整された形状をなす場合、
前記コネクタ挿入用開口部は、
開口の縦横方向の幅が前記短辺の幅より僅かに大きい幅と、前記電線の引き出し方向の長さより僅かに大きい幅とで調整されている
ことを特徴とする請求項２に記載の電気接続用ケース。
【請求項４】
前記コネクタ挿入用開口部は、
前記周側壁に形成され、
当該電気接続用ケースは、
前記コネクタ挿入用開口部に前記コネクタ挿入用開口部の幅より狭い幅で下方に繋がり前記コネクタ周辺の電線部分が挿入される開口部分である電線挿入用開口部
をさらに有することを特徴とする請求項１、２、または３に記載の電線接続用ケース。
【発明の詳細な説明】
【技術分野】
【０００１】
本発明は、ケース内部でコネクタ付き電線と接続相手とが接続される電気接続用ケースに関する。
【背景技術】
【０００２】
従来、コネクタ付き電線を接続相手に接続する場合、コネクタ周辺の防塵等のため、コネクタ付き電線の接続相手が収容されたケース内部でコネクタ付き電線と接続相手とが接続される電気接続用ケースが用いられる。
このような電気接続用ケースとしては、車両等に搭載される電気接続箱がある。例えば、特許文献１に記載された電気接続箱は、電気接続箱内で接続相手となる電装品の接続待ちの状態のカプラー（コネクタ）が係止手段によって仮係止されることによって、コネクタ付き電線と接続相手とを電気接続箱内で接続させる際に、カプラー（コネクタ）が電気接続箱内で動くことを防ぎ、電線の断線やカプラー（コネクタ）の破損を防ぐようになっている。
【０００３】
また、電気接続用ケースとしては、底壁の縁面に沿って周側壁が立設され、底壁に対向する面の開口からコネクタ付き電線の接続相手が収容される箱型形状をなすものがある。  このような電気接続用ケースは、コネクタ付き電線のコネクタを開口からケース内部に挿入することは可能であるが、通常、開口側の端部には開口を塞ぐためのカバーが係止される係止部が設けられるため、この係止部に電線が干渉するという問題がある。
【０００４】
この問題を解消するため、電気接続用ケースの壁にコネクタ挿入用の開口部を形成するとともに、この開口部からケース外部にコネクタが脱落しないようにケース内部に係止部を設けることが考えられる。
【先行技術文献】
【特許文献】
【０００５】
【特許文献１】実開平５−６０１３１号公報
【発明の概要】
【発明が解決しようとする課題】
【０００６】
しかしながら、コネクタ挿入用の開口部を形成した電気接続用ケースでは、ケース内部にケース外部への脱落防止用の係止部設けることにより、構造が複雑になるという問題があった。
【０００７】
本発明は、上記に鑑みてなされたものであって、コネクタ挿入用の開口部を形成した場合であっても、ケース内部にコネクタを保持するための係止部を設けずに簡単な構造の電気接続用ケースを提供することを目的とする。
【課題を解決するための手段】
【０００８】
上述した課題を解決し、目的を達成するために、本発明の請求項１に係る電気接続用ケースは、底壁の縁面に沿って周側壁が立設され、前記底壁に対向する面の開口からコネクタ付き電線の接続相手が収容される箱型形状をなし、ケース外部からケース内部に引き込まれた前記コネクタ付き電線のコネクタと前記接続相手とが接続される電気接続用ケースであって、前記コネクタが所定の姿勢でケース外部からケース内部に挿入可能、かつケース内部に挿入されて所定の姿勢から姿勢が変化された前記コネクタがケース外部に脱落しないような形状および大きさに調整されて前記周側壁、あるいは前記底壁に形成されたコネクタ挿入用開口部を有することを特徴とする。
【０００９】
また、本発明の請求項２に係る電気接続用ケースは、上記の発明において、前記コネクタ挿入用開口部は、形状および大きさが前記コネクタからの電線の引き出し方向での前記コネクタの断面外形に対応して前記コネクタがケース外部に脱落しないような形状および大きさに形成されることを特徴とする。
【００１０】
また、本発明の請求項３に係る電気接続用ケースは、上記の発明において、前記コネクタが略直方体形状をなし、前記電線の引き出し方向に直交する方向での断面外形が長辺および短辺を有するとともに、電線の引き出し方向の長さが前記長辺の幅より短く調整された形状をなす場合、前記コネクタ挿入用開口部は、開口の縦横方向の幅が前記短辺の幅より僅かに大きい幅と、前記電線の引き出し方向の長さより僅かに大きい幅とで調整されていることを特徴とする。
【００１１】
また、本発明の請求項４に係る電気接続用ケースは、上記の発明において、前記コネクタ挿入用開口部は、前記周側壁に形成され、当該電気接続用ケースは、前記コネクタ挿入用開口部に前記コネクタ挿入用開口部の幅より狭い幅で下方に繋がり前記コネクタ周辺の電線部分が挿入される開口部分である電線挿入用開口部をさらに有することを特徴とする。
【発明の効果】
【００１２】
本発明の請求項１に係る電気接続用ケースは、前記コネクタ挿入用開口部が前記コネクタがケース外部に脱落しないような形状および大きさに調整されているので、前記コネクタ挿入用開口部からケース内部に挿入された前記コネクタは、ケース外部から電線が引っ張られた場合、前記コネクタ挿入用開口部の壁内面に接触されてケース外部へ離脱することが阻止されるため、ケース内部にコネクタを保持するための係止部を設けずに前記コネクタをケース内部に保持することができ、結果的にコネクタ挿入用の開口部を形成した場合であっても、ケース内部にコネクタを保持するための係止部を設けずに簡単な構造とすることができる。
【００１３】
本発明の請求項２に係る電気接続用ケースは、前記コネクタ挿入用開口部が形状および大きさが前記コネクタからの電線の引き出し方向での前記コネクタの断面外形に対応して前記コネクタがケース外部に脱落しないような形状および大きさに形成されるので、電線が引っ張られて、ケース内部の前記コネクタが電線の引き出し方向に直交する面を前記コネクタ挿入用開口部に向けられた場合、前記コネクタ挿入用開口部の壁内面が前記コネクタに接触され易くなり、コネクタがケース外部に離脱されることを確実に阻止することができる。
【００１４】
本発明の請求項３に係る電気接続用ケースは、前記コネクタ挿入用開口部が前記コネクタの形状および大きさに厳密に対応して調整されているので、電線が引っ張られて、ケース内部の前記コネクタが電線の引き出し方向に直交する面が前記コネクタ挿入用開口部に向けられた場合、前記コネクタ挿入用開口部の壁内面が前記コネクタに接触され易くなり、コネクタがケース外部に離脱されることをより確実に阻止することができる。
【００１５】
本発明の請求項４に係る電気接続用ケースは、前記コネクタが前記コネクタから引き出される電線部分を下にした姿勢で前記コネクタ挿入用開口部に挿入されるため、前記コネクタをケース内部で自重によって下降させることによって、前記コネクタの姿勢を所定の姿勢から容易に変化させることができる。
【図面の簡単な説明】
【００１６】
【図１】図１は、本発明の実施例に係る電気接続用ケースが組み込まれた電気接続箱の斜視図であり、電子制御装置が取り付けされる前の状態を示した図である。
【図２】図２は、図１に示した電気接続箱の側面図である。
【図３】図３は、図１に示した電気接続箱の電気接続用ケース周辺を拡大した図である。
【図４】図４は、（ａ）がコネクタ付き電線の側面図であり、（ｂ）がコネクタ付き電線の上面図である。
【図５】図５は、電気接続用ケースのケース内部にコネクタ付き電線のコネクタを引き込む手順を示した図である。
【図６】図６は、電気接続用ケースの外部から電線が引っ張られた場合の電気接続用ケースのケース内部でのコネクタの動作を説明するための図である。
【発明を実施するための形態】
【００１７】
以下、図面を参照して、本発明に係る電気接続用ケースの好適な実施例を詳細に説明する。
【実施例】
【００１８】
図１は、本発明の実施例に係る電気接続用ケース１が組み込まれた電気接続箱１００の斜視図であり、ユニット部品４０が取り付けされる前の状態を示した図である。
図２は、図１に示した電気接続箱１００の側面図である。なお、図２の電気接続箱１００では、コネクタ付き電線３０を省略して示している。
図３は、図１に示した電気接続箱１００の電気接続用ケース１周辺を拡大した図である。図４は、（ａ）がコネクタ付き電線３０の側面図であり、（ｂ）がコネクタ付き電線３０の上面図である。
なお、本発明の実施例では説明の便宜上、図中に示すように上下方向を定義する。
また、この実施例では、電気接続箱１００の概要構成を説明しながら、電気接続用ケース１の詳細について説明する。
【００１９】
電気接続箱１００は、不図示の電気電子部品等が収容される筒状のケース本体部１１０と、ケース本体部１１０の上面開口を覆うアッパーカバー１２０と、ケース本体部１１０の下面開口を覆うロアカバー１３０と、ケース本体部１１０に別体のケースとして取り付けられた電気接続用ケース１と、を有する。
【００２０】
ケース本体部１１０は、不図示の電気電子部品等が内部に収容され、この電気電子部品等に電気的に接続されたコネクタ付き電線３０のうちの一部のコネクタ付き電線３０が一端側をロアカバー１３０の後述する電線引き出し口１３１から外部に引きだされるようになっている。
【００２１】
ロアカバー１３０は、ケース本体部１１０内の電気電子部品等に接続されたコネクタ付き電線３０の一端側が外部に引き出されるための開口となる電線引き出し口１３１を有する。
【００２２】
電気接続用ケース１は、略長方形状の底壁１０の縁面に沿って周側壁１１が立設され、底壁１０に対向する面の開口１ａからコネクタ付き電線の接続相手としての、電源分配ユニットであるパワーインテグレーション（Ｐｏｗｅｒ  Ｉｎｔｅｇｒａｔｉｏｎ）、あるいは電子制御ユニット（ＥＣＵ：ｅｌｅｃｔｒｏｎｉｃ  ｃｏｎｔｌｏｌ  ｕｎｉｔ）等のユニット部品４０が収容される箱型形状をなす絶縁樹脂製のケースである。
この電気接続用ケース１は、ケース内部でコネクタ付き電線３０と、接続相手となるユニット部品４０とが接続されるようになっている。
【００２３】
また、電気接続用ケース１は、ユニット部品４０をケース内部に収容完了した状態で電気接続用ケース１に固定する一対のロック部１２と、一方のロック部１２の下方にコネクタ付き電線３０のコネクタ３１が挿入されるコネクタ挿入用開口部２０と、を有する。
【００２４】
ロック部１２は、周側壁１１の向かい合う短手方向の壁部分１１ａ、１１ａの上端部に設けられることによって、ユニット部品４０を電気接続用ケース１にロックし易いようになっている。
【００２５】
電気接続用ケース１は、コネクタが所定の姿勢でケース外部からケース内部に挿入可能に、かつケース内部に挿入されて所定の姿勢から姿勢が変化されたコネクタがケース外部に脱落しないような形状および大きさに調整されて周側壁に形成されたコネクタ挿入用開口部２０を有する。
また、電気接続用ケースは、コネクタ挿入用開口部にコネクタ挿入用開口部の幅より狭い幅で下方に繋がりコネクタ周辺の電線部分が挿入される開口部分である電線挿入用開口部２１をさらに有する。
【００２６】
コネクタ挿入用開口部２０は、形状および大きさがコネクタ３１からの電線３２の引き出し方向でのコネクタ３１の断面外形に対応して形成される。
より具体的には、コネクタ３１が、図４に示すように、外形が略直方体形状をなし、電線３２の引き出し方向に直交する方向での断面外形が長辺Ｌ１および短辺Ｌ２を有するとともに、電線３２の引き出し方向の長さが断面外形の長辺の幅Ｃより短く調整された形状をなす場合、コネクタ挿入用開口部２０は、開口の縦横方向の幅が短辺の幅Ａより僅かに大きい幅（Ａ＋α）と、電線の引き出し方向の長さＢより僅かに大きい幅とで調整されている。
【００２７】
電線挿入用開口部２１は、コネクタ３１周辺の電線部分３２ａが挿入できる寸法に調整されている。より具体的には、電線挿入用開口部２１は、コネクタ挿入用開口部の幅（Ａ＋α）より狭い幅に調整されている。これは、複数の電線３２の端末部がコネクタ３１内に収まるように設けられているためである。
このようなコネクタ挿入用開口部２０と、電線挿入用開口部２１とによって、電気接続用ケース１の周側壁１１にはＴ字状の開口が形成されている。
【００２８】
このようなコネクタ挿入用開口部２０を挿入口として、コネクタ付き電線３０のコネクタ３１がケース内部に引き込まれる場合、図１に示すように、コネクタ３１を電気接続用ケース１の底壁１０により近い位置からケース内部に引き込むことができる。すなわち、コネクタ３１を電気接続用ケース１内のユニット部品４０の接続部分により近い位置からケース内部に収容することができる。
これにより、コネクタ３１が電気接続用ケース１の開口１ａからケース内部に挿入され、底壁１０周辺位置から開口１ａに向けて電線３２が折り返されるようにして収容される場合に比べて、コネクタ付き電線３０の電線３２の余長を短く調整することができるようになっている。
【００２９】
次に、図５および図６を用いて、電気接続用ケース１のケース内部にコネクタ付き電線３０のコネクタ３１を引き込む手順、および電気接続用ケース１の外部から電線３２が引っ張られた場合の電気接続用ケース１のケース内部でのコネクタ３１の動作について説明する。
図５は、電気接続用ケース１のケース内部にコネクタ付き電線３０のコネクタ３１を引き込む手順を示した図である。図６は、電気接続用ケース１のケース外部から電線３２が引っ張られた場合の電気接続用ケース１のケース内部でのコネクタ３１の動作を説明するための図である。
【００３０】
まず、作業者は、ロアカバー１３０の電線引き出し口１３１から引き出されたコネクタ付き電線３０のコネクタ３１をコネクタ挿入用開口部の外側近傍位置でコネクタ挿入用開口部に挿通可能な所定の姿勢にする（図５（ａ）参照）。すなわち、コネクタ３１を、短辺側の面３１ａをコネクタ挿入用開口部２０に向かい合わせるようにするとともに、コネクタ３１周辺の電線部分３２ａを電線挿入用開口部２１に位置するようにコネクタ３１の姿勢を調整する。
【００３１】
その後、作業者は、コネクタ３１をコネクタ挿入用開口部２０に挿入し、電気接続用ケース１のケース外部からケース内部に引き込むことによって、電気接続用ケース１のケース内部にコネクタ３１を引き込む作業を完了する（図５（ｂ）参照）。コネクタ３１はケース内部に引き込まれると、コネクタ挿入用開口部２０に挿入可能な所定の姿勢からその姿勢を変化させる。
ここで、コネクタ３１は、コネクタ３１から引き出される電線部分３２ａを下にした姿勢でコネクタ挿入用開口部２０に挿入されるため、ケース内部に挿入されると、自重によって下降する。すなわち、コネクタ３１は、ケース内部に挿入されるとその姿勢を変化し易いようになっている。
【００３２】
ここで、電気接続用ケース１のケース外部から電線３２が引っ張られた場合、図６に示すように、コネクタ挿入用開口部に挿通可能な姿勢からその姿勢が変化されたコネクタ３１は電気接続用ケース１のコネクタ挿入用開口部２０周辺の内壁面に接触され、電気接続用ケース１のケース外部に脱落されることが阻止される。
より具体的には、電線３２が引っ張られた場合、電線３２の引きだされる側の面３１ｂがコネクタ挿入用開口部２０に向けられる。この電線３２の引き出される側の面３１ｂは、コネクタ挿入用開口部２０の縦横幅よりも大きい幅の長辺Ｌ１を含む面であるため、コネクタ挿入用開口部２０周辺の内壁面に接触される。
また、コネクタ３１がケース内部で自重によって底壁１０近くまで下降した場合、電線挿入用開口部２１周辺の内壁面にも接触され易くなる。
【００３３】
このように、電気接続用ケース１のケース内部に引き込まれたコネクタ３１は、ケース外部に脱落されることなく、ユニット部品４０との接続待ち状態でケース内部に保持される。
【００３４】
本発明の実施例に係る電気接続用ケース１は、コネクタ挿入用開口部２０がコネクタ３１がケース外部に脱落しないような形状および大きさに調整されているので、コネクタ挿入用開口部２０からケース内部に挿入されたコネクタ３１は、ケース外部から電線３２が引っ張られた場合、コネクタ挿入用開口部２０の壁内面に接触されてケース外部へ離脱することが阻止されるため、ケース内部にコネクタ３１を保持するための係止部を設けずにコネクタ３１をケース内部に保持することができ、結果的にコネクタ挿入用の開口部を形成した場合であっても、ケース内部にコネクタ３１を保持するための係止部を設けずに簡単な構造とすることができる。
【００３５】
また、本発明の実施例に係る電気接続用ケース１は、コネクタ挿入用開口部２０が形状および大きさがコネクタ３１からの電線３２の引き出し方向でのコネクタ３１の断面外形に対応してコネクタ３１がケース外部に脱落しないような形状および大きさに形成されるので、電線３２が引っ張られて、ケース内部のコネクタ３１が電線３２の引き出し方向に直交する面がコネクタ挿入用開口部２０に向けられた場合、コネクタ挿入用開口部２０の壁内面がコネクタ３１に接触され易くなり、コネクタ３１がケース外部に離脱されることを確実に阻止することができる。
【００３６】
また、本発明の実施例に係る電気接続用ケース１は、コネクタ挿入用開口部２０がコネクタ３１の形状および大きさに厳密に対応して調整されているので、電線３２が引っ張られて、ケース内部のコネクタ３１が電線３２の引き出し方向に直交する面を前記コネクタ挿入用開口部に向けられた場合、コネクタ挿入用開口部２０の壁内面がコネクタ３１に接触され易くなり、コネクタ３１がケース外部に離脱されることをより確実に阻止することができる。
【００３７】
また、本発明の実施例に係る電気接続用ケース１は、コネクタ３１がコネクタ３１から引き出される電線部分３２ａを下にした姿勢でコネクタ挿入用開口部２０に挿入されるため、コネクタ３１をケース内部で自重によって下降させることによって、コネクタ３１の姿勢を所定の姿勢から容易に変化させることができる。
【００３８】
なお、本発明の実施例に係る電気接続用ケース１は、電気接続箱１００に組み込まれるものを例示したが、これに限らず、電気接続箱１００とは離れて設けられていても構わない。例えば、電気接続用ケース１が車体に直接取り付けされるようにしても構わない。
【００３９】
また、本発明の実施例に係る電気接続用ケース１は、略長方形状の底壁１０の縁面に沿って周側壁１１が立設されたものを例示したがこれに限らず、底壁の縁面に沿って周側壁が立設されたものであればその他の形状であっても構わない。
【００４０】
また、本発明の実施例に係る電気接続用ケース１は、コネクタ挿入用開口部が略直方体形状のコネクタに対応した形状および大きさに調整されたものを例示したが、これに限らず、コネクタ挿入用開口部は、コネクタが所定の姿勢でケース外部からケース内部に挿入可能、かつケース内部に挿入されて所定の姿勢から姿勢が変化されたコネクタがケース外部に脱落しないような形状および大きさに調整されていればよい。
【００４１】
また、本発明の実施例に係る電気接続用ケース１は、コネクタ挿入用開口部が周側壁に形成されるものを例示したが、これに限らず、コネクタ挿入用開口部は、底壁に形成するようにしても構わない。
【００４２】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００４３】
１      電気接続用ケース
１ａ    開口
１０    底壁
１１    周側壁
１１ａ  壁部分
１２    ロック部
２０    コネクタ挿入用開口部
２１    電線挿入用開口部
３０    コネクタ付き電線
３１    コネクタ
３１ａ、３１ｂ  面
３２    電線
３２ａ    電線部分
４０    ユニット部品（接続相手）
１００  電気接続箱
１１０  ケース本体部
１２０  アッパーカバー
１３０  ロアカバー
１３１  電線引き出し口
Ｌ１  長辺
Ｌ２  短辺
【図１】
2015008571.tif 000003
【図２】
2015008571.tif 000004
【図３】
2015008571.tif 000005
【図４】
2015008571.tif 000006
【図５】
2015008571.tif 000007
【図６】
2015008571.tif 000008